(57)【要約】【課題】クロストークの抑制を図りながらも優れた防水性を有すると共に容易に製造することができる薄型の防水コネクタを提供する。【解決手段】ミッドプレート１６は、複数のコンタクトのコンタクト前部に対向する平板状のフロント部１６Ａと、複数のコンタクトのコンタクト後部に対向する平板状のリア部１６Ｂと、フロント部とリア部との間に嵌合方向に沿った間隙部１６Ｄが形成されるようにフロント部およびリア部を互いに連結すると共にミッドプレート側防水形状部１６Ｇが形成された連結部１６Ｃとを有し、複数のコンタクトのうち一部のコンタクトに対向する部分の間隙部の嵌合方向の長さＧ１と他のコンタクトに対向する部分の間隙部の嵌合方向の長さＧ２とが互いに異なる。【選択図】図９
2020035662.tif 000002
【特許請求の範囲】
【請求項１】
それぞれ嵌合方向に延び且つ配列された複数のコンタクトと、
前記複数のコンタクトを保持するハウジングと、
前記複数のコンタクトに対向するように配置された金属からなるミッドプレートと
を備え、
前記複数のコンタクトは、それぞれ、前記嵌合方向の中間部に位置し且つ前記ハウジング内に埋没されて前記ハウジングとの界面に沿った水の浸入を遮断するためのコンタクト側防水形状部と、前記コンタクト側防水形状部よりも前記嵌合方向の前方に位置し且つ相手側コネクタのコンタクトに接触する接触部が形成されたコンタクト前部と、前記コンタクト側防水形状部よりも前記嵌合方向の後方に位置し且つ接続対象物に接続される接続部が形成されたコンタクト後部とを有し、
前記ミッドプレートは、前記複数のコンタクトの前記コンタクト前部に対向する平板状のフロント部と、前記複数のコンタクトの前記コンタクト後部に対向する平板状のリア部と、前記フロント部と前記リア部との間に間隙部が形成されるように前記フロント部および前記リア部を互いに連結すると共に前記ハウジング内に埋没されて前記ハウジングとの界面に沿った水の浸入を遮断するためのミッドプレート側防水形状部が形成された連結部とを有し、
前記複数のコンタクトのうち一部のコンタクトに対向する部分の前記間隙部の前記嵌合方向の長さと他のコンタクトに対向する部分の前記間隙部の前記嵌合方向の長さとが互いに異なることを特徴とする防水コネクタ。
【請求項２】
前記複数のコンタクトは、前記ミッドプレートを挟んで前記ミッドプレートの両面にそれぞれ対向するように配列された複数の第１コンタクトおよび複数の第２コンタクトを有する請求項１に記載の防水コネクタ。
【請求項３】
前記複数のコンタクトの前記コンタクト側防水形状部は、前記嵌合方向において、前記ミッドプレートの前記間隙部に対応する位置に配置されている請求項１または２に記載の防水コネクタ。
【請求項４】
前記一部のコンタクトは、高速信号伝送用コンタクトを含み、
前記他のコンタクトは、前記高速信号伝送用コンタクト以外のコンタクトであり、
前記一部のコンタクトに対向する部分の前記間隙部の前記嵌合方向の長さは、前記他のコンタクトに対向する部分の前記間隙部の前記嵌合方向の長さよりも短い請求項１〜３のいずれか一項に記載の防水コネクタ。
【請求項５】
前記一部のコンタクトは、前記複数のコンタクトの配列方向において、前記他のコンタクトの両側に配置されている請求項４に記載の防水コネクタ。
【請求項６】
前記ミッドプレートの前記リア部は、前記一部のコンタクトに対応して、前記複数のコンタクトの配列方向の両側に、前記嵌合方向に沿い且つ前記フロント部に向けて突出する一対の突出部を有する請求項５に記載の防水コネクタ。
【請求項７】
前記ミッドプレートの前記フロント部は、前記一部のコンタクトに対応して、前記複数のコンタクトの配列方向の両側に、前記嵌合方向に沿い且つ前記リア部に向けて突出する一対の突出部を有する請求項５または６に記載の防水コネクタ。
【請求項８】
前記ミッドプレートは、前記複数のコンタクトの配列方向の両側に配置された一対の前記連結部を有し、前記一対の突出部と前記一対の連結部との間に形成された一対の切り欠きを有し、
前記ミッドプレート側防水形状部と前記切り欠きは、前記嵌合方向において、互いに少なくとも一部が重複する位置に配置されている請求項６または７に記載の防水コネクタ。
【請求項９】
前記ミッドプレートは、前記複数のコンタクトの配列方向の両側に配置された一対の前記連結部を有し、前記一対の突出部は、前記一対の連結部に接続されている請求項６または７に記載の防水コネクタ。
【請求項１０】
前記コンタクト側防水形状部は、前記コンタクトの周囲を囲って閉じるように前記コンタクトの表面に形成された少なくとも１つの溝または突起を有する請求項１〜９のいずれか一項に記載の防水コネクタ。
【請求項１１】
前記ミッドプレート側防水形状部は、前記連結部の周囲を囲って閉じるように前記連結部の表面に形成された少なくとも１つの溝または突起を有する請求項１〜１０のいずれか一項に記載の防水コネクタ。
【請求項１２】
前記ハウジングは、前記嵌合方向の前方に向けて開口する相手側コネクタ収容部を有し、
前記複数のコンタクトの前記接触部は、少なくとも前記相手側コネクタ収容部内に露出している請求項１〜１１のいずれか一項に記載の防水コネクタ。
【請求項１３】
前記ハウジングは、
前記複数のコンタクトの前記接触部が露出するように前記複数のコンタクトの前記コンタクト前部および前記ミッドプレートの前記フロント部を覆う第１インシュレータと、
前記複数のコンタクトの前記接続部が露出するように前記複数のコンタクトの前記コンタクト側防水形状部および前記コンタクト後部と前記ミッドプレートの前記連結部および前記リア部と前記第１インシュレータの後部を覆う第２インシュレータと
を有し、
前記第２インシュレータにより前記相手側コネクタ収容部が形成され、前記第１インシュレータにより前記相手側コネクタ収容部の底部が塞がれている請求項１２に記載の防水コネクタ。
【請求項１４】
前記ハウジングの後部に取り付けられ且つ前記複数のコンタクトの前記接続部を覆う金属シェルをさらに備えた請求項１２または１３に記載の防水コネクタ。
【請求項１５】
前記ハウジングの前記嵌合方向における前端部に、前記相手側コネクタ収容部の前端部を囲み且つ継ぎ目のない防水部材をさらに備えた請求項１２〜１４のいずれか一項に記載の防水コネクタ。
【請求項１６】
前記相手側コネクタ収容部の底部に配置され且つ前記相手側コネクタとの嵌合時に前記相手側コネクタ収容部に収容される前記相手側コネクタが突き当たるインナープレートをさらに備えた請求項１２〜１５のいずれか一項に記載の防水コネクタ。
【請求項１７】
前記ハウジングは、前記複数のコンタクトの配列方向の両側に突出する一対の固定部を有し、
前記一対の固定部を介して前記接続対象物に固定される請求項１〜１６のいずれか一項に記載の防水コネクタ。
【請求項１８】
前記ミッドプレートは、前記複数のコンタクトの配列方向の両側に突出し且つ前記ハウジングの前記一対の固定部により覆われる一対の突状部を有する請求項１７に記載の防水コネクタ。
【発明の詳細な説明】
【技術分野】
【０００１】
この発明は、防水コネクタに係り、特に、高速信号伝送用コンタクトを含む防水コネクタに関する。
【背景技術】
【０００２】
近年、携帯型の電子機器が広く普及しているが、これらの電子機器においては、薄型化が進められると共に防水機能に対する要求が高く、これに伴い、電子機器に使用されるコネクタに対しても、薄型で且つ防水性を備えたものが望まれている。
また、伝送される電気信号が外部からの電磁波により影響を受けることを防止するため、電磁波に対するシールドがなされたコネクタの開発が進められている。
【０００３】
このような、防水性と電磁波シールドを兼ね備えたコネクタが、例えば、特許文献１に開示されている。このコネクタは、図２６に示されるように、複数の上側コンタクト１を有する上側モジュール２と複数の下側コンタクト３を有する下側モジュール４との間に金属からなるミッドプレート５を配置し、インシュレータ６を成型して、これら上側モジュール２、下側モジュール４およびミッドプレート５をインシュレータ６により保持させ、インシュレータ６の外周部を金属シェル７で覆い、さらに、インシュレータ６の背部にポッティングにより防水板８を形成した構造を有している。また、金属シェル７の外周部には、ガスケット９が配置されている。
【０００４】
インシュレータ６の背部に防水板８を形成することにより、金属シェル７の内部に配置されている複数の上側コンタクト１、複数の下側コンタクト３およびミッドプレート５が、金属シェル７の背部に突出していても、金属シェル７の内部から背部へ水が浸入することが防止される。
また、複数の上側コンタクト１および複数の下側コンタクト３の周囲を、金属からなるミッドプレート５および金属シェル７で囲っているので、電磁波による影響を低減しつつ信号伝送を行うことができる。
【先行技術文献】
【特許文献】
【０００５】
【特許文献１】中国特許出願公告第１０５４７０６９７号明細書
【発明の概要】
【発明が解決しようとする課題】
【０００６】
しかしながら、ポッティングにより防水板８を形成するためには、インシュレータ６を成型して上側モジュール２、下側モジュール４およびミッドプレート５をインシュレータ６に保持させた後に、金属シェル７で覆われたインシュレータ６の背部にポッティング材料を注入し、さらに、ポッティング材料を硬化させる必要があり、コネクタの製造に手間がかかるという問題がある。
【０００７】
また、複数の上側コンタクト１および複数の下側コンタクト３を用いて高速信号を伝送させる場合には、信号のクロストークを抑制するために、それぞれのコンタクトに対して十分な長さにわたってミッドプレート５を対向させることが望ましいが、ミッドプレート５をコンタクトに沿って長くすると、それだけ、コンタクトの周囲に配置される樹脂の厚さが減少してしまい、樹脂の収縮力を利用して高い防水性を得ることが困難になる。
防水性の向上とクロストークの抑制の双方を図るために、コンタクトの周囲に配置される樹脂の厚さを増加させると、コネクトの大型化、特に、厚さが大きくなるという問題がある。
【０００８】
この発明は、このような従来の問題点を解消するためになされたもので、クロストークの抑制を図りながらも優れた防水性を有すると共に容易に製造することができる薄型の防水コネクタを提供することを目的とする。
【課題を解決するための手段】
【０００９】
この発明に係る防水コネクタは、それぞれ嵌合方向に延び且つ配列された複数のコンタクトと、複数のコンタクトを保持するハウジングと、複数のコンタクトに対向するように配置された金属からなるミッドプレートとを備え、
複数のコンタクトは、それぞれ、嵌合方向の中間部に位置し且つハウジング内に埋没されてハウジングとの界面に沿った水の浸入を遮断するためのコンタクト側防水形状部と、コンタクト側防水形状部よりも嵌合方向の前方に位置し且つ相手側コネクタのコンタクトに接触する接触部が形成されたコンタクト前部と、コンタクト側防水形状部よりも嵌合方向の後方に位置し且つ接続対象物に接続される接続部が形成されたコンタクト後部とを有し、
ミッドプレートは、複数のコンタクトのコンタクト前部に対向する平板状のフロント部と、複数のコンタクトのコンタクト後部に対向する平板状のリア部と、フロント部とリア部との間に間隙部が形成されるようにフロント部およびリア部を互いに連結すると共にハウジング内に埋没されてハウジングとの界面に沿った水の浸入を遮断するためのミッドプレート側防水形状部が形成された連結部とを有し、
複数のコンタクトのうち一部のコンタクトに対向する部分の間隙部の嵌合方向の長さと他のコンタクトに対向する部分の間隙部の嵌合方向の長さとが互いに異なるものである。
【００１０】
複数のコンタクトは、ミッドプレートを挟んでミッドプレートの両面にそれぞれ対向するように配列された複数の第１コンタクトおよび複数の第２コンタクトを有することが好ましい。
好ましくは、複数のコンタクトのコンタクト側防水形状部は、嵌合方向において、ミッドプレートの間隙部に対応する位置に配置されている。
【００１１】
一部のコンタクトは、高速信号伝送用コンタクトを含み、他のコンタクトは、高速信号伝送用コンタクト以外のコンタクトであり、一部のコンタクトに対向する部分の間隙部の嵌合方向の長さは、他のコンタクトに対向する部分の間隙部の嵌合方向の長さよりも短くなるように構成することができる。
一部のコンタクトは、複数のコンタクトの配列方向において、他のコンタクトの両側に配置されることができる。
ミッドプレートのリア部は、一部のコンタクトに対応して、複数のコンタクトの配列方向の両側に、嵌合方向に沿い且つフロント部に向けて突出する一対の突出部を有していてもよい。また、ミッドプレートのフロント部は、一部のコンタクトに対応して、複数のコンタクトの配列方向の両側に、嵌合方向に沿い且つリア部に向けて突出する一対の突出部を有していてもよい。
【００１２】
ミッドプレートは、複数のコンタクトの配列方向の両側に配置された一対の連結部を有し、一対の突出部と一対の連結部との間に形成された一対の切り欠きを有し、ミッドプレート側防水形状部と切り欠きは、嵌合方向において、互いに少なくとも一部が重複する位置に配置されるように構成することができる。あるいは、ミッドプレートは、複数のコンタクトの配列方向の両側に配置された一対の連結部を有し、一対の突出部は、一対の連結部に接続されていてもよい。
【００１３】
コンタクト側防水形状部は、コンタクトの周囲を囲って閉じるようにコンタクトの表面に形成された少なくとも１つの溝または突起を有することが好ましい。同様に、ミッドプレート側防水形状部は、連結部の周囲を囲って閉じるように連結部の表面に形成された少なくとも１つの溝または突起を有することが好ましい。
【００１４】
ハウジングは、嵌合方向の前方に向けて開口する相手側コネクタ収容部を有し、複数のコンタクトの接触部は、少なくとも相手側コネクタ収容部内に露出していることが好ましい。
ハウジングは、複数のコンタクトの接触部が露出するように複数のコンタクトのコンタクト前部およびミッドプレートのフロント部を覆う第１インシュレータと、複数のコンタクトの接続部が露出するように複数のコンタクトのコンタクト側防水形状部およびコンタクト後部とミッドプレートの連結部およびリア部と第１インシュレータの後部を覆う第２インシュレータとを有し、第２インシュレータにより相手側コネクタ収容部が形成され、第１インシュレータにより相手側コネクタ収容部の底部が塞がれているように構成することができる。
【００１５】
ハウジングの後部に取り付けられ且つ複数のコンタクトの接続部を覆う金属シェルをさらに備えることができる。
ハウジングの嵌合方向における前端部に、相手側コネクタ収容部の前端部を囲み且つ継ぎ目のない防水部材をさらに備えることもできる。
相手側コネクタ収容部の底部に配置され且つ相手側コネクタとの嵌合時に相手側コネクタ収容部に収容される相手側コネクタが突き当たるインナープレートをさらに備えていてもよい。
【００１６】
ハウジングは、複数のコンタクトの配列方向の両側に突出する一対の固定部を有し、一対の固定部を介して接続対象物に固定されるように構成することができる。
ミッドプレートは、複数のコンタクトの配列方向の両側に突出し且つハウジングの一対の固定部により覆われる一対の突状部を有していてもよい。
【発明の効果】
【００１７】
この発明によれば、複数のコンタクトは、それぞれ、コンタクト側防水形状部と、コンタクト側防水形状部よりも嵌合方向の前方に位置するコンタクト前部と、コンタクト側防水形状部よりも嵌合方向の後方に位置するコンタクト後部とを有し、ミッドプレートは、複数のコンタクトのコンタクト前部に対向する平板状のフロント部と、複数のコンタクトのコンタクト後部に対向する平板状のリア部と、フロント部とリア部との間に嵌合方向に沿った間隙部が形成されるように複数のコンタクトの外側においてフロント部およびリア部を互いに連結すると共にミッドプレート側防水形状部が形成された連結部とを有し、複数のコンタクトのうち一部のコンタクトに対向する部分の間隙部の嵌合方向の長さと他のコンタクトに対向する部分の間隙部の嵌合方向の長さとが互いに異なるので、クロストークの抑制を図りながらも優れた防水性を有すると共に容易に製造することができる薄型の防水コネクタを得ることが可能となる。
【図面の簡単な説明】
【００１８】
【図１】この発明の実施の形態に係る防水コネクタを斜め上方から見た斜視図である。
【図２】実施の形態に係る防水コネクタを斜め下方から見た斜視図である。
【図３】実施の形態に係る防水コネクタの分解図である。
【図４】実施の形態に係る防水コネクタの側面断面図である。
【図５】実施の形態に係る防水コネクタに用いられた複数の第１コンタクトを示す斜視図である。
【図６】実施の形態に係る防水コネクタに用いられた複数の第２コンタクトを示す斜視図である。
【図７】複数の第１コンタクトを有する第１モジュールを示す斜視図である。
【図８】複数の第２コンタクトを有する第２モジュールを示す斜視図である。
【図９】実施の形態に係る防水コネクタに用いられたミッドプレートを示す斜視図である。
【図１０】ミッドプレートを第１モジュールと第２モジュールとで挟んだ状態を示す斜視図である。
【図１１】第１インシュレータを成型した状態を示す斜視図である。
【図１２】第１インシュレータにインナープレートを嵌め込んだ状態を示す斜視図である。
【図１３】第２インシュレータを成型した状態を示す斜視図である。
【図１４】基板に実装された実施の形態に係る防水コネクタを示す斜視図である。
【図１５】複数の第１コンタクトとミッドプレートとの位置関係を示す平面図である。
【図１６】複数の第２コンタクトとミッドプレートとの位置関係を示す底面図である。
【図１７】図４の要部拡大図である。
【図１８】実施の形態に係る防水コネクタに用いられたミッドプレートを示す平面図である。
【図１９】変形例１に係る防水コネクタに用いられたミッドプレートを示す平面図である。
【図２０】変形例２に係る防水コネクタに用いられたミッドプレートを示す平面図である。
【図２１】変形例３に係る防水コネクタに用いられたミッドプレートを示す平面図である。
【図２２】変形例４に係る防水コネクタに用いられたミッドプレートを示す平面図である。
【図２３】変形例５に係る防水コネクタに用いられたミッドプレートを示す平面図である。
【図２４】変形例６に係る防水コネクタに用いられたミッドプレートを示す平面図である。
【図２５】変形例７に係る防水コネクタに用いられたミッドプレートを示す平面図である。
【図２６】従来のコネクタを示す側面断面図である。
【発明を実施するための形態】
【００１９】
以下、この発明の実施の形態を添付図面に基づいて説明する。
図１および図２に、実施の形態に係る防水コネクタ１１を示す。この防水コネクタ１１は、携帯機器および情報機器等の電子機器内における基板に固定され、嵌合軸Ｃに沿って図示しない相手側コネクタに嵌合されるレセプタクルコネクタである。
防水コネクタ１１は、ハウジング１２と、それぞれ嵌合軸Ｃ方向に延び且つ嵌合軸Ｃに対して直交する方向に配列された複数の第１コンタクト１３と、それぞれ嵌合軸Ｃ方向に延び且つ複数の第１コンタクト１３と平行に配列された複数の第２コンタクト１４を有している。複数の第１コンタクト１３および複数の第２コンタクト１４は、それぞれ、金属等の導電体からなり、ハウジング１２に保持されている。
【００２０】
ハウジング１２は、絶縁性樹脂から形成されており、複数の第１コンタクト１３および複数の第２コンタクト１４の外周を覆うように嵌合軸Ｃに沿って延びる扁平な筒形状の筒状部１２Ａと、筒状部１２Ａの両側部から突出する一対の固定部１２Ｂを有している。
筒状部１２Ａの内部には、図示しない相手側コネクタが挿入される相手側コネクタ収容部１２Ｃが形成されている。相手側コネクタ収容部１２Ｃには、ハウジング１２の一部である舌状部１５が配置されており、舌状部１５に複数の第１コンタクト１３の嵌合軸Ｃ方向の前端部および複数の第２コンタクト１４の嵌合軸Ｃ方向の前端部が保持されると共に、金属からなるミッドプレート１６が舌状部１５に埋め込まれて複数の第１コンタクト１３と複数の第２コンタクト１４の間に配置されている。
【００２１】
ここで、便宜上、嵌合軸Ｃに沿って防水コネクタ１１の前部から後部に向かう方向を＋Ｙ方向、複数の第１コンタクト１３および複数の第２コンタクト１４の配列方向をＸ方向、ＸＹ面に垂直で且つ第２コンタクト１４側から第１コンタクト１３側へ向かう方向を＋Ｚ方向と呼ぶこととする。
【００２２】
筒状部１２Ａの＋Ｙ方向側には、複数の第１コンタクト１３および複数の第２コンタクト１４の＋Ｙ方向端部を覆う金属シェル１７が配置されている。
また、筒状部１２Ａの−Ｙ方向端部に、相手側コネクタ収容部１２Ｃの−Ｙ方向端部を囲み且つ継ぎ目のない防水部材１８が配置されている。
舌状部１５は、筒状部１２Ａよりも−Ｙ方向側に突出しており、複数の第１コンタクト１３は、舌状部１５の＋Ｚ方向側の表面上に配列され、複数の第２コンタクト１４は、舌状部１５の−Ｚ方向側の表面上に配列されている。
【００２３】
防水コネクタ１１の分解図を図３に示す。防水コネクタ１１は、複数の第１コンタクト１３と、複数の第２コンタクト１４と、ミッドプレート１６と、ハウジング１２の舌状部１５を形成する第１インシュレータ１９と、ハウジング１２の筒状部１２Ａおよび一対の固定部１２Ｂを形成する第２インシュレータ２０と、金属シェル１７と、防水部材１８とを備えている。第１インシュレータ１９と第２インシュレータ２０とにより、ハウジング１２が構成されている。
防水コネクタ１１は、さらに、複数の第１コンタクト１３をモジュール化するためのインシュレータ２１および２２と、複数の第２コンタクト１４をモジュール化するためのインシュレータ２３および２４と、第１インシュレータ１９に嵌め込まれるインナープレート２５を有している。
【００２４】
防水コネクタ１１の側面断面図を図４に示す。なお、図４において、Ｙ方向に延びる一点鎖線Ｌよりも＋Ｚ方向側の部分は、第１コンタクト１３を通るＹＺ面により切断された防水コネクタ１１の断面を示し、一点鎖線Ｌよりも−Ｚ方向側の部分は、第２コンタクト１４を通るＹＺ面により切断された防水コネクタ１１の断面を示している。
複数の第１コンタクト１３がインシュレータ２１および２２によりモジュール化された第１モジュール２６と、複数の第２コンタクト１４がインシュレータ２３および２４によりモジュール化された第２モジュール２７とによりミッドプレート１６が挟まれた状態で第１インシュレータ１９が成型されている。第１インシュレータ１９は、舌状部１５と、舌状部１５の＋Ｙ方向端部においてＸＺ面に沿って延びるフランジ部２８を有している。
第１インシュレータ１９のフランジ部２８にインナープレート２５が嵌め込まれている。インナープレート２５は、嵌合時に相手側コネクタ収容部に挿入される図示しない相手側コネクタが突き当たるもので、金属または樹脂から形成されており、相手側コネクタ収容部１２Ｃに面するフランジ部２８の−Ｙ方向側の面上に配置されている。
【００２５】
第１インシュレータ１９のフランジ部２８とインナープレート２５とを覆うように、第２インシュレータ２０が成型されている。第２インシュレータ２０は、筒状部１２Ａと、筒状部１２Ａの＋Ｙ方向端部を閉じる底板部２９と、底板部２９から＋Ｙ方向側に突出し且つＸＹ面に沿って延びる平板部３０を有している。
複数の第１コンタクト１３および複数の第２コンタクト１４とミッドプレート１６とが、第２インシュレータ２０の底板部２９および平板部３０をＹ方向に貫通している。
第２インシュレータ２０の＋Ｙ方向側には、第１モジュール２６および第２モジュール２７の＋Ｙ方向端部を覆うように金属シェル１７が配置され、金属シェル１７の脚部１７Ａが−Ｚ方向に突出している。
【００２６】
図５に示されるように、第１コンタクト１３は、Ｙ方向に伸張する板状部材からなり、Ｙ方向の中間部に形成されたコンタクト側防水形状部１３Ａと、コンタクト側防水形状部１３Ａよりも−Ｙ方向側に位置するコンタクト前部１３Ｂと、コンタクト側防水形状部１３Ａよりも＋Ｙ方向側に位置するコンタクト後部１３Ｃとを有している。
コンタクト側防水形状部１３Ａは、第２インシュレータ２０に埋没されて第２インシュレータ２０との界面に沿った水の浸入を遮断するためのもので、第１コンタクト１３の周囲を囲って閉じるように第１コンタクト１３の表面に形成された少なくとも１つの溝または突起を有している。コンタクト前部１３Ｂの−Ｙ方向端部には、図示しない相手側コネクタのコンタクトに接触する接触部１３Ｄが形成され、コンタクト後部１３Ｃの＋Ｙ方向端部には、基板等の接続対象物に接続される接続部１３Ｅが形成されている。
【００２７】
同様に、図６に示されるように、第２コンタクト１４は、Ｙ方向に伸張する板状部材からなり、Ｙ方向の中間部に形成されたコンタクト側防水形状部１４Ａと、コンタクト側防水形状部１４Ａよりも−Ｙ方向側に位置するコンタクト前部１４Ｂと、コンタクト側防水形状部１４Ａよりも＋Ｙ方向側に位置するコンタクト後部１４Ｃとを有している。
コンタクト側防水形状部１４Ａは、第２インシュレータ２０に埋没されて第２インシュレータ２０との界面に沿った水の浸入を遮断するためのもので、第２コンタクト１４の周囲を囲って閉じるように第２コンタクト１４の表面に形成された少なくとも１つの溝または突起を有している。コンタクト前部１４Ｂの−Ｙ方向端部には、図示しない相手側コネクタのコンタクトに接触する接触部１４Ｄが形成され、コンタクト後部１４Ｃの＋Ｙ方向端部には、基板等の接続対象物に接続される接続部１４Ｅが形成されている。
【００２８】
次に、実施の形態に係る防水コネクタ１１を製造する方法について説明する。
まず、図７に示されるように、それぞれの接触部１３Ｄを露出させた状態で複数の第１コンタクト１３のコンタクト前部１３Ｂを囲むインシュレータ２１を成型すると共に、それぞれの接続部１３Ｅを露出させた状態で複数の第１コンタクト１３のコンタクト後部１３Ｃを囲むインシュレータ２２を成型することにより、複数の第１コンタクト１３がモジュール化された第１モジュール２６を形成する。
同様に、図８に示されるように、それぞれの接触部１４Ｄを露出させた状態で複数の第２コンタクト１４のコンタクト前部１４Ｂを囲むインシュレータ２３を成型すると共に、それぞれの接続部１４Ｅを露出させた状態で複数の第２コンタクト１４のコンタクト後部１４Ｃを囲むインシュレータ２４を成型することにより、複数の第２コンタクト１４がモジュール化された第２モジュール２７を形成する。
【００２９】
これらの第１モジュール２６および第２モジュール２７に挟まれるミッドプレート１６は、図９に示されるように、平板状のフロント部１６Ａと、フロント部１６Ａから＋Ｙ方向側に離れて配置された平板状のリア部１６Ｂと、フロント部１６ＡのＸ方向の両端部とリア部１６ＢのＸ方向の両端部とを互いに連結する一対の連結部１６Ｃとを有している。
フロント部１６Ａとリア部１６Ｂの間には、間隙部１６Ｄが形成されている。リア部１６ＢのＸ方向の両端部には、それぞれ、間隙部１６Ｄ内をフロント部１６Ａに向けて−Ｙ方向に突出する一対の突出部１６Ｅが形成されており、リア部１６ＢのＸ方向の両端部における間隙部１６ＤのＹ方向に沿った長さＧ１は、リア部１６ＢのＸ方向の中央部における間隙部１６ＤのＹ方向に沿った長さＧ２よりも短く設定されている。すなわち、一対の突出部１６Ｅの存在により、Ｘ方向の位置に応じて、間隙部１６ＤのＹ方向に沿った長さが比較的短い部分と比較的長い部分とが形成されている。
【００３０】
一対の突出部１６Ｅと一対の連結部１６Ｃとの間に、Ｙ方向に沿って延びる一対の切り欠き１６Ｆが形成されている。
一対の連結部１６Ｃには、それぞれ、ミッドプレート側防水形状部１６Ｇが形成されている。ミッドプレート側防水形状部１６Ｇは、第２インシュレータ２０に埋没されて第２インシュレータ２０との界面に沿った水の浸入を遮断するためのもので、連結部１６Ｃの周囲を囲って閉じるように連結部１６Ｃの表面に形成された少なくとも１つの溝または突起を有している。ミッドプレート側防水形状部１６Ｇと切り欠き１６Ｆは、Ｙ方向において、互いに少なくとも一部が重複する位置に配置されている。
【００３１】
また、一対の連結部１６Ｃの−Ｙ方向端部には、それぞれ、Ｘ方向の外方へ延びる腕部１６Ｈを介して、ほぼ矩形の平板形状を有する突状部１６Ｊが連結されている。腕部１６Ｈには、連結部１６Ｃのミッドプレート側防水形状部１６Ｇと同様のミッドプレート側防水形状部１６Ｋが形成されている。さらに、突状部１６Ｊの中央に開口部１６Ｌが形成されている。
さらに、リア部１６ＢのＸ方向の両端部には、それぞれ、基板等の接続対象物に接続されるミッドプレート側接続部１６Ｍが形成されている。
【００３２】
図１０に示されるように、このようなミッドプレート１６を挟んで、ミッドプレート１６の＋Ｚ方向側に第１モジュール２６が配置され、ミッドプレート１６の−Ｚ方向側に第２モジュール２７が配置される。このとき、図示しないが、ミッドプレート１６のフロント部１６Ａは、第１モジュール２６の複数の第１コンタクト１３のコンタクト前部１３Ｂおよび第２モジュール２７の複数の第２コンタクト１４のコンタクト前部１４Ｂに対向し、ミッドプレート１６のリア部１６Ｂは、第１モジュール２６の複数の第１コンタクト１３のコンタクト後部１３Ｃおよび第２モジュール２７の複数の第２コンタクト１４のコンタクト後部１４Ｃに対向する。また、第１モジュール２６の複数の第１コンタクト１３のコンタクト側防水形状部１３Ａおよび第２モジュール２７の複数の第２コンタクト１４のコンタクト側防水形状部１４Ａは、ミッドプレート１６の間隙部１６Ｄに対応する位置に配置される。
【００３３】
第１モジュール２６および第２モジュール２７の間にミッドプレート１６が挟まれた状態で、図１１に示されるように、第１インシュレータ１９が成型される。第１インシュレータ１９の成型により、ミッドプレート１６と第１モジュール２６と第２モジュール２７とが一体化される。
さらに、図１２に示されるように、第１インシュレータ１９のフランジ部２８に、−Ｙ方向側からインナープレート２５が嵌め込まれ、この状態で、図１３に示されるように、第２インシュレータ２０が成型される。第２インシュレータ２０により、内部に相手側コネクタ収容部１２Ｃを有する筒状部１２Ａが形成されると共に、筒状部１２ＡのＸ方向の両端部から突出する一対の固定部１２Ｂが形成される。
【００３４】
図示しないが、固定部１２Ｂにより、ミッドプレート１６の突状部１６Ｊが覆われている。固定部１２Ｂには、Ｚ方向に貫通する貫通孔１２Ｄが形成されており、ミッドプレート１６の突状部１６Ｊの開口部１６Ｌが、固定部１２Ｂの貫通孔１２Ｄに対応している。
また、筒状部１２Ａの−Ｙ方向端部には、相手側コネクタ収容部１２Ｃの−Ｙ方向端部を囲む溝１２Ｅが形成されている。
第２インシュレータ２０の＋Ｙ方向側に突出して露出している第１モジュール２６のインシュレータ２２の＋Ｚ方向側の面上に金属シェル１７を配置すると共に、筒状部１２Ａの−Ｙ方向端部の溝１２Ｅに防水部材１８を装着することにより、図１および図２に示される防水コネクタ１１の製造が完了する。
なお、図２に示されるように、防水コネクタ１１の＋Ｙ方向端部には、複数の第１コンタクト１３の接続部１３Ｅと、複数の第２コンタクト１４の接続部１４Ｅと、ミッドプレート１６の一対のミッドプレート側接続部１６Ｍと、金属シェル１７の一対の脚部１７Ａが、露出して−Ｚ方向に突出している。
【００３５】
図１４は、接続対象物である基板３１に実装された防水コネクタ１１を示す斜視図である。一対の固定部１２Ｂの貫通孔１２Ｄに、それぞれ、図示しない固定ネジを通して防水コネクタ１１を基板３１に固定することができる。
防水コネクタ１１の＋Ｙ方向端部から−Ｚ方向に突出している複数の第１コンタクト１３の接続部１３Ｅおよび複数の第２コンタクト１４の接続部１４Ｅが、それぞれ、基板３１の図示しない接続パッドに接続される。また、防水コネクタ１１の＋Ｙ方向端部から−Ｚ方向に突出しているミッドプレート１６の一対のミッドプレート側接続部１６Ｍおよび金属シェル１７の一対の脚部１７Ａが、基板３１の図示しないグランドラインに接続され、ミッドプレート１６と金属シェル１７とがグランド電位に設定される。
なお、ミッドプレート１６の突状部１６Ｊが固定部１２Ｂの−Ｚ方向側に露出するように、第２インシュレータ２０を成型すれば、図示しない固定ネジを用いて防水コネクタ１１を基板３１に固定することにより、ミッドプレート１６の突状部１６Ｊを基板３１の図示しないグランドパッドに接続させて、ミッドプレート１６をグランド電位にすることもできる。
【００３６】
図１５および図１６に、複数の第１コンタクト１３および複数の第２コンタクト１４とミッドプレート１６との位置関係を示す。すなわち、図１５および図１６は、防水コネクタ１１から複数の第１コンタクト１３および複数の第２コンタクト１４とミッドプレート１６以外のすべての部材を除去した状態を示す平面図および底面図である。
【００３７】
複数の第１コンタクト１３は、それぞれＹ方向に延び且つ−Ｘ方向から＋Ｘ方向に配列された１２本のコンタクトＳ１〜Ｓ１２を有している。これらのコンタクトのうち、Ｘ方向において最も外側に位置するコンタクトＳ１およびＳ１２はグランド用コンタクトであり、コンタクトＳ１に隣接する２本のコンタクトＳ２およびＳ３と、コンタクトＳ１２に隣接する２本のコンタクトＳ１１およびＳ１０は、それぞれ、高速信号伝送用コンタクトとして使用され、Ｘ方向の中央部に位置するコンタクトＳ６およびＳ７は、低速信号伝送用コンタクトとして使用される。残りのコンタクトＳ４、Ｓ５、Ｓ８およびＳ９は、電源用コンタクト、あるいは、防水コネクタ１１の挿抜検出等に用いられるコンタクトである。
【００３８】
同様に、複数の第２コンタクト１４は、それぞれＹ方向に延び且つ−Ｘ方向から＋Ｘ方向に配列された１２本のコンタクトＴ１〜Ｔ１２を有している。これらのコンタクトのうち、Ｘ方向において最も外側に位置するコンタクトＴ１およびＴ１２はグランド用コンタクトであり、コンタクトＴ１に隣接する２本のコンタクトＴ２およびＴ３と、コンタクトＴ１２に隣接する２本のコンタクトＴ１１およびＴ１０は、それぞれ、高速信号伝送用コンタクトとして使用され、Ｘ方向の中央部に位置するコンタクトＴ６およびＴ７は、低速信号伝送用コンタクトとして使用される。残りのコンタクトＴ４、Ｔ５、Ｔ８およびＴ９は、電源用コンタクト、あるいは、防水コネクタ１１の挿抜検出等に用いられるコンタクトである。
【００３９】
ミッドプレート１６のリア部１６ＢのＸ方向の両端部に配置されている一対の突出部１６Ｅは、複数の第１コンタクト１３のうちＸ方向の両端部に配置されているコンタクトＳ１〜Ｓ３およびコンタクトＳ１０〜Ｓ１２と、複数の第２コンタクト１４のうちＸ方向の両端部に配置されているコンタクトＴ１〜Ｔ３およびコンタクトＴ１０〜Ｔ１２に対向し、複数の第１コンタクト１３のうちＸ方向の中央部に配置されているコンタクトＳ４〜Ｓ９と、複数の第２コンタクト１４のうちＸ方向の中央部に配置されているコンタクトＴ４〜Ｔ９には対向していない。
【００４０】
すなわち、高速信号伝送用コンタクトを含まないコンタクトＳ４〜Ｓ９、Ｔ４〜Ｔ９（他のコンタクト）に対向する部分のミッドプレート１６の間隙部１６Ｄは、突出部１６Ｅが存在しないことから、Ｙ方向に沿った長さＧ２を有するのに対し、高速信号伝送用コンタクトを含むコンタクトＳ１〜Ｓ３、Ｓ１０〜Ｓ１２、Ｔ１〜Ｔ３、Ｔ１０〜Ｔ１２（一部のコンタクト）に対向する部分のミッドプレート１６の間隙部１６Ｄは、Ｙ方向に沿って、上記の長さＧ２よりも突出部１６Ｅの分だけ短い長さＧ１を有している。
【００４１】
このように、ミッドプレート１６は、高速信号伝送用コンタクトを含むコンタクトＳ１〜Ｓ３、Ｓ１０〜Ｓ１２、Ｔ１〜Ｔ３、Ｔ１０〜Ｔ１２に対して、他のコンタクトよりもＹ方向に長い範囲にわたって対向しており、コンタクトＳ２、Ｓ３、Ｓ１１、Ｓ１０、Ｔ２、Ｔ３、Ｔ１１、Ｔ１０からなる高速信号伝送用コンタクトに高速信号を流しても、クロストークを抑制して信頼性の高い伝送を行うことが可能となる。
【００４２】
また、図１７に示されるように、例えば、高速信号伝送用コンタクトであるコンタクトＳ２、Ｔ２に対してミッドプレート１６の突出部１６Ｅが対向しているが、コンタクトＳ２のコンタクト側防水形状部１３ＡおよびコンタクトＴ２のコンタクト側防水形状部１４Ａは、ミッドプレート１６の間隙部１６Ｄに対応する位置に配置されている。なお、図１７においても、図４と同様に、Ｙ方向に延びる一点鎖線Ｌよりも＋Ｚ方向側の部分は、コンタクトＳ２を通るＹＺ面により切断された防水コネクタ１１の断面を示し、一点鎖線Ｌよりも−Ｚ方向側の部分は、コンタクトＴ２を通るＹＺ面により切断された防水コネクタ１１の断面を示している。
同様に、高速信号伝送用コンタクトを含まないコンタクトＳ４〜Ｓ９、Ｔ４〜Ｔ９についても、コンタクト側防水形状部１３Ａおよび１４Ａは、ミッドプレート１６の間隙部１６Ｄに対応する位置に配置されている。
【００４３】
このため、ミッドプレート１６に影響を受けることなく、また、防水コネクタ１１のＺ方向の高さを増大することなく、コンタクト側防水形状部１３Ａおよび１４Ａの周囲に、第２インシュレータ２０を構成する樹脂を、十分な厚さで確保することができる。従って、第２インシュレータ２０の成型時に、高い樹脂収縮力を得て、優れた防水性を実現することが可能となる。
また、第２インシュレータ２０の成型により優れた防水性を実現することができるので、ポッティング工程が不要となり、防水コネクタ１１の製造が容易となる。
【００４４】
特に、コンタクト側防水形状部１３Ａおよび１４Ａは、第１コンタクト１３および第２コンタクト１４の周囲を囲って閉じるように第１コンタクト１３および第２コンタクト１４の表面に形成された少なくとも１つの溝または突起を有しているので、効果的に第２インシュレータ２０との界面に沿った水の浸入を遮断することができる。
【００４５】
なお、ミッドプレート１６のミッドプレート側接続部１６Ｍは、防水コネクタ１１の＋Ｙ方向端部から露出しているが、連結部１６Ｃのミッドプレート側防水形状部１６Ｇが第２インシュレータ２０に埋没されることで、連結部１６Ｃと第２インシュレータ２０との界面に沿った水の浸入が遮断されるように構成されている。
同様に、ミッドプレート１６の一対の腕部１６Ｈにも、それぞれ、ミッドプレート側防水形状部１６Ｋが形成されているので、突状部１６Ｊの少なくとも一部が第２インシュレータ２０の固定部１２Ｂから露出していても、ミッドプレート側防水形状部１６Ｋが第２インシュレータ２０に埋没されることで、腕部１６Ｈと第２インシュレータ２０との界面に沿った水の浸入が遮断されることとなる。
従って、第２インシュレータ２０の相手側コネクタ収容部１２Ｃの内部を通って基板３１側に水が浸入することが防止される。
【００４６】
なお、上記の実施の形態に係る防水コネクタ１１では、図１８に示されるように、ミッドプレート１６のリア部１６ＢのＸ方向の両端部にフロント部１６Ａに向けて突出する一対の突出部１６Ｅが形成されているが、これに限るものではない。
例えば、図１９に示されるミッドプレート４１のように、フロント部４１ＡのＸ方向の両端部からリア部４１Ｂに向けて一対の突出部４１Ｆが突出していても、Ｘ方向の両端部における間隙部４１ＤのＹ方向に沿った長さが、Ｘ方向の中央部における間隙部４１ＤのＹ方向に沿った長さよりも短くなり、複数の第１コンタクト１３および複数の第２コンタクト１４のうちＸ方向の両端側に配置されているコンタクトＳ２、Ｓ３、Ｓ１１、Ｓ１０、Ｔ２、Ｔ３、Ｔ１１、Ｔ１０に高速信号を流しても、クロストークを抑制して信頼性の高い伝送を行うことが可能となる。
【００４７】
また、図２０に示されるミッドプレート４２のように、リア部４２ＢのＸ方向の両端部からフロント部４２Ａに向けて一対の突出部４２Ｅが突出すると共に、フロント部４２ＡのＸ方向の両端部からリア部４２Ｂに向けて一対の突出部４２Ｆが突出していても、Ｘ方向の両端部における間隙部４２ＤのＹ方向に沿った長さが、Ｘ方向の中央部における間隙部４２ＤのＹ方向に沿った長さよりも短くなり、実施の形態に係る防水コネクタ１１と同様の効果が得られる。
【００４８】
上記の実施の形態に係る防水コネクタ１１では、図１８に示されるように、ミッドプレート１６の一対の突出部１６Ｅと一対の連結部１６Ｃとの間に、Ｙ方向に沿って延びる一対の切り欠き１６Ｆが形成されているが、これに限るものではない。
例えば、図２１に示されるミッドプレート４３のように、リア部４３ＢのＸ方向の両端部からフロント部４３Ａに向けて突出する一対の突出部４３Ｅが、切り欠きを有することなく連結部４３Ｃに接続されていても、実施の形態に係る防水コネクタ１１と同様の効果を得ることができる。ただし、図１８に示されるミッドプレート１６のように、切り欠き１６Ｆを有していれば、連結部１６Ｃに形成されるミッドプレート側防水形状部１６ＧのＹ方向の長さを長く確保することができ、より確実に防水性を向上させることが可能となる。
【００４９】
また、図２２に示されるミッドプレート４４のように、フロント部４４ＡのＸ方向の両端部からリア部４４Ｂに向けて突出する一対の突出部４４Ｆが、切り欠きを有することなく連結部４４Ｃに接続されていても、実施の形態に係る防水コネクタ１１と同様の効果を得ることができる。
同様に、図２３に示されるミッドプレート４５のように、リア部４５ＢのＸ方向の両端部からフロント部４５Ａに向けて一対の突出部４５Ｅが突出すると共に、フロント部４５ＡのＸ方向の両端部からリア部４５Ｂに向けて一対の突出部４５Ｆが突出し、リア部４５Ｂから突出する一対の突出部４５Ｅが、切り欠きを有することなく連結部４５Ｃに接続されていてもよい。
【００５０】
また、図２４に示されるミッドプレート４６のように、リア部４６ＢのＸ方向の両端部からフロント部４６Ａに向けて一対の突出部４６Ｅが突出すると共に、フロント部４６ＡのＸ方向の両端部からリア部４６Ｂに向けて一対の突出部４６Ｆが突出し、フロント部４６Ａから突出する一対の突出部４６Ｆが、切り欠きを有することなく連結部４６Ｃに接続されていてもよい。
さらに、図２５に示されるミッドプレート４７のように、リア部４７ＢのＸ方向の両端部からフロント部４７Ａに向けて一対の突出部４７Ｅが突出すると共に、フロント部４７ＡのＸ方向の両端部からリア部４７Ｂに向けて一対の突出部４７Ｆが突出し、一対の突出部４７Ｅと一対の突出部４７Ｆの双方が、切り欠きを有することなく連結部４７Ｃに接続されていてもよい。
【００５１】
上記の実施の形態では、複数の第１コンタクト１３と複数の第２コンタクト１４が、ミッドプレート１６の両面にそれぞれ対向するように２列に配列されているが、これに限るものではなく、複数のコンタクトが１列に配列された防水コネクタにこの発明を適用することもできる。
また、コンタクトの個数は制限されるものではなく、２本以上のコンタクトを有していればよい。
【符号の説明】
【００５２】
１  上側コンタクト、２  上側モジュール、３  下側コンタクト、４  下側モジュール、５  ミッドプレート、６  インシュレータ、７  金属シェル、８  防水板、９  ガスケット、１１  防水コネクタ、１２  ハウジング、１２Ａ  筒状部、１２Ｂ  固定部、１２Ｃ  相手側コネクタ収容部、１３  第１コンタクト、１３Ａ，１４Ａ  コンタクト側防水形状部、１３Ｂ，１４Ｂ  コンタクト前部、１３Ｃ，１４Ｃ  コンタクト後部、１３Ｄ，１４Ｄ  接触部、１３Ｅ，１４Ｅ  接続部、１４  第２コンタクト、１５  舌状部、１６，４１〜４７  ミッドプレート、１６Ａ，４１Ａ〜４７Ａ  フロント部、１６Ｂ，４１Ｂ〜４７Ｂ  リア部、１６Ｃ、４３Ｃ〜４７Ｃ  連結部、１６Ｄ，４１Ｄ〜４７Ｄ  間隙部、１６Ｅ，４１Ｆ，４２Ｅ，４２Ｆ，４３Ｅ，４４Ｆ，４５Ｅ，４５Ｆ，４６Ｅ，４６Ｆ，４７Ｅ，４７Ｆ  突出部、１６Ｆ  切り欠き、１６Ｇ，１６Ｋ  ミッドプレート側防水形状部、１６Ｈ  腕部、１６Ｊ  突状部、１６Ｌ  開口部、１６Ｍ  ミッドプレート側接続部、１７  金属シェル、１７Ａ  脚部、１８  防水部材、１９  第１インシュレータ、２０  第２インシュレータ、２１〜２４  インシュレータ、２５  インナープレート、２６  第１モジュール、２７  第２モジュール、２８  フランジ部、２９  底板部、３０  平板部、３１  基板、Ｃ  嵌合軸、Ｇ１，Ｇ２  長さ、Ｓ１〜Ｓ１２，Ｔ１〜Ｔ１２  コンタクト。
【図１】
2020035662.tif 000003
【図２】
2020035662.tif 000004
【図３】
2020035662.tif 000005
【図４】
2020035662.tif 000006
【図５】
2020035662.tif 000007
【図６】
2020035662.tif 000008
【図７】
2020035662.tif 000009
【図８】
2020035662.tif 000010
【図９】
2020035662.tif 000011
【図１０】
2020035662.tif 000012
【図１１】
2020035662.tif 000013
【図１２】
2020035662.tif 000014
【図１３】
2020035662.tif 000015
【図１４】
2020035662.tif 000016
【図１５】
2020035662.tif 000017
【図１６】
2020035662.tif 000018
【図１７】
2020035662.tif 000019
【図１８】
2020035662.tif 000020
【図１９】
2020035662.tif 000021
【図２０】
2020035662.tif 000022
【図２１】
2020035662.tif 000023
【図２２】
2020035662.tif 000024
【図２３】
2020035662.tif 000025
【図２４】
2020035662.tif 000026
【図２５】
2020035662.tif 000027
【図２６】
2020035662.tif 000028